(57)【要約】      （修正有）【課題】簡易でありながら綴じ元側を確実に綴じることができる綴じ具及び綴じ具を有するファイルを提供する。【解決手段】綴じ具２は、クリヤーポケットＰを綴じるためのものであって、クリヤーポケットＰの一面側を保持するベース３と、このベース３の両端部に設けられクリヤーポケットＰの端部綴じ孔Ｐ２に係わり合う端部綴じピン４と、これら各端部綴じピン４の先端から端部綴じピン４の軸線と交差する方向に片持ち的に突設され軸線がクリヤーポケットＰの表面に対して直交していない場合に限って前記クリヤーポケットＰの端部綴じピン４に対する挿脱を許容する引っ掛け部材５と、ベース３に設けられクリヤーポケットＰの中間綴じ孔Ｐ３に係わり合うための対をなす中間綴じピン６と、これら中間綴じピン６の先端に装脱可能に配されクリヤーポケットＰが中間綴じピン６から外れるのを防止する蓋体７とを具備してなる。【選択図】図１０
2014024296.tif 000002
【特許請求の範囲】
【請求項１】
綴じ元側に３個以上の綴じ孔を有するリフィルを綴じるための綴じ具であって、前記リフィルの一面側を保持するベースと、このベースの両端部に設けられ前記リフィルの端部綴じ孔に係わり合う端部綴じピンと、これら各端部綴じピンの先端から当該端部綴じピンの軸線と交差する方向に片持ち的に突設され前記軸線が前記リフィルの表面に対して直交していない場合に限って前記リフィルの前記端部綴じピンに対する挿脱を許容する引っ掛け部材と、前記ベースに設けられ前記リフィルの中間綴じ孔に係わり合うための中間綴じピンと、前記中間綴じピンの先端に装脱可能に配され前記リフィルが前記中間綴じピンから外れるのを防止する蓋体とを具備してなることを特徴とする綴じ具。
【請求項２】
前記ベースが、厚み方向に弾性変形可能な薄板状のベース本体を備えたものであり、前記端部綴じピンがそのベース本体に設けられている請求項１記載の綴じ具。
【請求項３】
前記両引っ掛け部材が、相反する方向に延出する対をなした薄板状のものである請求項１又は２記載の綴じ具。
【請求項４】
前記蓋体が、ヒンジを介して前記ベースに回動可能に支持されたものであり、前記ベースが、前記ベース本体の一側縁側に前記ヒンジを構成するためのヒンジ形成部を設けたものである請求項１、２又は３記載の綴じ具。
【請求項５】
前記ベースが、前記ヒンジ形成部の一側縁側に表紙体に取り付けるための取付突条を備えたものである請求項４記載の綴じ具。
【請求項６】
前記ベースが、前記端部綴じピンを保持する前記ベース本体の両端部をスリットを介して前記ヒンジ形成部から切り離したものである請求項４又は５記載の綴じ具。
【請求項７】
前記蓋体が、装着状態において前記中間綴じピン及び前記端部綴じピンに対して係わり合う中間係合爪及び端部係合爪を有した板状のものである請求項１、２、３、４、５又は６記載の綴じ具。
【請求項８】
前記蓋体が、前記引っ掛け部材とのとの干渉を避けるための切欠部を備えたものであり、前記装着状態において前記蓋体の外面と前記引っ掛け部材の外面とが略面一となるように設定してある請求項１、２、３、４、５、６又は７記載の綴じ具。
【請求項９】
表紙体に請求項５記載の綴じ具を取り付けたファイルであって、前記表紙体が前記取付突条を挿脱可能に保持するレールを備えたものであることを特徴とするファイル。
【請求項１０】
前記表紙体が、平行な複数本の前記レールを有するレールシートを背表紙の内面に備えたものであり、前記各レールに請求項５記載の綴じ具を挿脱可能に取り付けた請求項９記載のファイル。
【発明の詳細な説明】
【技術分野】
【０００１】
本発明は、クリヤーポケット等のリフィルを綴じるための綴じ具及び当該綴じ具を有するファイルに関するものである。
【背景技術】
【０００２】
従来、綴じ元側に多数の綴じ孔を有したクリヤーポケット等のリフィルを綴じるための綴じ具として、全ての綴じ孔に綴じリングを挿通させて綴じるようにしたバインダー方式のものが知られているが、近時、嵩張らずに簡易に綴じるための綴じ具に対する要望も増大しつつある。従来、リフィルを簡易に綴じるための綴じ具として、例えば、厚み方向に弾性変形可能な板状のベースと、このベースの両端部に設けられ前記リフィルの２つの綴じ孔に係わり合う綴じピンと、これら各綴じピンの先端から相反する方向に片持ち的に突設された薄板状をなす引っ掛け部材とを備えたものが知られている（例えば、特許文献１参照）。
【０００３】
ところが、このようなものであると、中間部にある２つの綴じ孔のみを綴じることになるため、綴じ元側の両端部分が開放された状態となり綴じ元側を確実に束ねておくことが難しいという問題がある。
【先行技術文献】
【特許文献】
【０００４】
【特許文献１】特開平７−１７９０９２号公報
【発明の概要】
【発明が解決しようとする課題】
【０００５】
本発明は、このような不具合に着目したものであり、簡易でありながら綴じ元側を確実に綴じることができる綴じ具及び当該綴じ具を有するファイルを提供することを目的としている。
【課題を解決するための手段】
【０００６】
本発明は、このような目的を達成するために、次のような手段を講じたものである。
【０００７】
すなわち本発明に係る綴じ具は、綴じ元側に３個以上の綴じ孔を有するリフィルを綴じるためのものであって、前記リフィルの一面側を保持するベースと、このベースの両端部に設けられ前記リフィルの端部綴じ孔に係わり合う端部綴じピンと、これら各端部綴じピンの先端から当該端部綴じピンの軸線と交差する方向に片持ち的に突設され前記軸線が前記リフィルの表面に対して直交していない場合に限って前記リフィルの前記端部綴じピンに対する挿脱を許容する引っ掛け部材と、前記ベースに設けられ前記リフィルの中間綴じ孔に係わり合うための中間綴じピンと、前記中間綴じピンの先端に装脱可能に配され前記リフィルが前記中間綴じピンから外れるのを防止する蓋体とを具備してなることを特徴とする。
【０００８】
ここで、リフィルとは、取り替え可能に綴じられるシート状のものであればどのようなものであってもよく、例えば、上縁を開放したポケット状をなすクリヤーブック替え紙（以下、クリヤーポケットという）や上縁と外縁を開放したクリヤーホルダ或いは直接筆記可能なバインダー中紙等の用紙類が含まれる。
【０００９】
このようなものであれば、綴じリングで綴じるものに比べて簡易であり、しかもリフィルの両端部と中間部をともに綴じることができるため、綴じ元側を確実に綴じることができる。
【００１０】
構造の複雑化を招くことなしにリフィルの着脱を容易に行うようにするためには、前記ベースを、厚み方向に弾性変形可能な薄板状のベース本体を備えたものにし、前記端部綴じピンをそのベース本体に設けておくのがよい。
【００１１】
リフィルの脱落をより確実に防止又は抑制するには、前記両引っ掛け部材を、相反する方向に延出する対をなした薄板状のものにしておくのが望ましい。
【００１２】
前記蓋体の紛失を防止するには、前記蓋体を、ヒンジを介して前記ベースに回動可能に支持させるのがよい。この場合、前記ベースは、前記ベース本体の一側縁側に前記ヒンジを構成するためのヒンジ形成部を設けたものにしておくのが好ましい。
【００１３】
この綴じ具を表紙体に取り付けるようにするには、前記ベースを、前記ヒンジ形成部の一側縁側に表紙体に取り付けるための取付突条を備えたものにしておくのがよい。
【００１４】
ヒンジを設けたことにより、或いは表紙体に取り付けられるようにしたことによりリフィルの挿脱が困難になるという不具合の発生を防止するには、前記ベースを、前記端部綴じピンを保持する前記ベース本体の両端部をスリットを介して前記ヒンジ形成部から切り離したものとしておくことが好ましい。
【００１５】
中間綴じピンから前記リフィルの中間部分が浮き上がって離脱するのをより確実に防止するには、前記蓋体を、装着状態において前記中間綴じピン及び前記端部綴じピンに対して係わり合う中間係合爪及び端部係合爪７２を有した板状のものにしておくのが望ましい。
【００１６】
閉じた状態においてその厚みを可及的に薄くするには、前記蓋体を、前記引っ掛け部材との干渉を避けるための切欠部を備えたものにしておき、前記装着状態において前記蓋体の外面と前記引っ掛け部材の外面とが略面一となるように設定しておくのがよい。
【００１７】
このような綴じ具を備えたファイルとしては、前記ヒンジ形成部の一側縁側に表紙体に取り付けるための取付突条を備えた綴じ具と、前記取付突条を挿脱可能に保持するレールを備えた表紙体とを具備してなるものを挙げることができる。
【００１８】
共通の表紙体に複数の綴じ具を着脱可能に装着できるファイルを実現するには、前記表紙体を、平行な複数本の前記レールを有するレールシートを背表紙の内面に備えたものにしておくのがよい。
【発明の効果】
【００１９】
本発明によれば、簡易でありながら綴じ元側を確実に綴じることができる綴じ具及び当該綴じ具を有するファイルを提供することができる。
【図面の簡単な説明】
【００２０】
【図１】本発明の一実施形態に係る正面図。
【図２】同実施形態に係る拡大右側面図。
【図３】図１に係るＡ―Ａ線拡大断面図。
【図４】図１に係るＢ―Ｂ線拡大断面図。
【図５】図１に係るＣ―Ｃ線拡大断面図。
【図６】同実施形態に係る蓋体を開いた状態を示す正面図。
【図７】図６に係るＤ―Ｄ線拡大断面図。
【図８】図６に係るＥ―Ｅ線拡大断面図。
【図９】図６に係るＦ―Ｆ線拡大断面図。
【図１０】同実施形態に係る作用説明図。
【図１１】図１０に係る要部の拡大図。
【図１２】同実施形態に係る斜視図。
【図１３】同実施形態に係るファイルを示す斜視図。
【図１４】同ファイルを示す他の斜視図。
【図１５】同ファイルの要部を示す拡大平面図。
【図１６】図１５に係る作用説明図。
【発明を実施するための形態】
【００２１】
以下、本発明の一実施の形態について図面を参照して説明する。
【００２２】
本実施形態は、本発明を図１２乃至図１６に示すようなクリヤーブックＣＢに適用した場合のものである。このクリヤーブックＣＢは、複数枚のリフィルたるクリヤーポケットＰを本発明に係る綴じ具２を介して表紙体Ｈに保持させたものである。
【００２３】
クリヤーポケットＰは、２枚の透明フィルムの綴じ元側の端縁、底縁及び反綴じ元側の端縁を閉塞したポケット状のもので、開放させた上縁側から書類等を挿入し、保管することができるものである。綴じ元側には多数の綴じ孔Ｐ１、例えば３０個の綴じ孔Ｐ１が所定間隔で設けられている。これら多数の綴じ孔Ｐ１のうち、両端部近傍の２個の綴じ孔Ｐ１（以下、端部綴じ孔Ｐ２という）及び中央付近の２個の綴じ孔Ｐ１（以下、中間綴じ孔Ｐ３という）は、その径が他の綴じ孔Ｐ１よりも大きく設定されている。
【００２４】
綴じ具２は、図１乃至図１６に示すように、前記クリヤーポケットＰを綴じるためのものであって、前記クリヤーポケットＰの一面側を保持するベース３と、このベース３の両端部に設けられ前記クリヤーポケットＰの端部綴じ孔Ｐ２に係わり合う端部綴じピン４と、これら各端部綴じピン４の先端から当該端部綴じピン４の軸線と交差する方向に片持ち的に突設され前記軸線が前記クリヤーポケットＰの表面に対して直交していない場合に限って前記クリヤーポケットＰの前記端部綴じピン４に対する挿脱を許容する引っ掛け部材５と、前記ベース３に設けられ前記クリヤーポケットＰの中間綴じ孔Ｐ３に係わり合うための対をなす中間綴じピン６と、これら中間綴じピン６の先端に装脱可能に配され前記クリヤーポケットＰが前記中間綴じピン６から外れるのを防止する蓋体７とを具備してなる。
【００２５】
ベース３は、厚み方向に弾性変形可能な薄板状のベース本体３１と、このベース本体３１の一側縁側に隣設したヒンジ形成部３２と、このヒンジ形成部３２の一側縁側に隣設された取付突条３３とを備えたものであり、これらベース本体３１、ヒンジ形成部３２及び取付突条３３は樹脂により一体成形されている。前記ベース本体３１は、その両端部がスリット３４を介して前記ヒンジ形成部３２から切り離されたものであり、その片持ち的に支持された前記両端部が厚み方向に比較的容易に弾性変形し得るようになっている。そしてこれら両端部に前記端部綴じピン４をそれぞれ一体に設けるとともに、このベース本体３１の中間部分に前記中間綴じピン６を一体に設けている。ヒンジ形成部３２は、前記ベース本体３１の一側縁に沿って延びる帯板状のもので、長手方向に間隔を空けた複数箇所に軸受３５を備えている。軸受３５は後述する軸７８が挿通される軸孔３７を有したものでその軸受３５の内面に前記軸７８の外周を摺動可能に保持する軸受面３７ａを有しており、その軸孔３７は軸挿脱空間３７ｂを通して取付突条３３に臨む後方に開放されている。具体的には、各軸受３５は、平面視Ｊの字形をなしている。各軸受３５の両側には蓋受３６が設けられている。前記蓋受３６は前記蓋体７の後述する基端縁７６の外面を回動可能に支持する蓋受面３６ａを有したものである。取付突条３３は、前記ヒンジ形成部３２の一端縁側に一体に設けられたもので、弾性変形容易な薄肉部３３ａと、その薄肉部３３ａの先端縁に形成された膨大部３３ｂとを備えたものである。膨大部３３ｂは、前記薄肉部３３ａよりも大きな厚み寸法を備えたものである。
【００２６】
端部綴じピン４は、ベース本体３１に一体に設けられたもので、中心部分に空洞を有する円筒体状をなしている。この端部綴じピン４の外方端面は前記蓋体７の内面７ｂを受ける蓋受け部４１と、前記蓋体７の外面７ａと面一となる表出部４２とを備えている。なお、端部綴じピン４は、スリット４３により一側縁側と他側縁側とに分断されており、このスリット４３の存在により前記蓋体７側と係わり合う装着状態（Ｓ）とする際に起こる拡径方向の弾性変形が容易になっている。また端部綴じピン４の内周には後述する端部係合爪７２が係わり合う爪受４４が形成されている。
【００２７】
引っ掛け部材５は、対をなす前記端部綴じピン４からそれぞれ相反する方向に延出する対をなした薄板状のもので、具体的には、上側の端部綴じピン４に設けられた引っ掛け部材５は上方に向けて片持ち的に延出しており、下側の端部綴じピン４に設けられた引っ掛け部材５は下方に向けて片持ち的に延出している。引っ掛け部材５の基端部分の幅寸法は前記端部綴じピン４の直径と略等しく設定してあり、先端部分の幅寸法は基端部分の幅寸法よりも小さく設定している。引っ掛け部材５の延出寸法は、前記クリヤーポケットＰに設けられた前記端部綴じ孔Ｐ２の径よりも大きく設定している。この引っ掛け部材５の外面５ａは、装着状態（Ｓ）において蓋体７の後述する外面７ａと略面一となっている。そして引っ掛け部材５の形状を具体的に説明すると、この引っ掛け部材５は基端部分から先端から若干寸法手前の位置に亘って漸次ベース本体３１に近接する方向に傾斜し、先端部分近傍から先端までは逆方向に反り返る形状をなす。そうすることにより、ベース本体３１に近接している下側面を、綴じられた複数のクリヤーポケットＰを押さえ得る押え面５１とし、押え面５１から反り返る先端側の下面を、端部綴じ孔Ｐ２の挿入を好適に案内し得る案内面５２としている。
【００２８】
中間綴じピン６は、ベース本体３１に一体に設けられたもので、中心部分に空洞を有する円筒体状をなしている。この中間綴じピン６の外方端面６１は前記表出部４２よりも低い位置で全体的に面一に形成されており、この外方端面６１により前記蓋体７の内面７ｂを受けるようにしている。なお、中間綴じピン６は、スリット６３により一側縁側と他側縁側との分断されており、このスリット６３の存在により前記蓋体７側と係わり合う装着状態（Ｓ）とする際に起こる拡径方向の弾性変形が容易になっている。また中間綴じピン６の内周には後述する中間係合爪７３が係わり合う爪受６４が形成されている。
【００２９】
蓋体７は、薄板状の蓋本体７１と、前記蓋本体７１の前記端部綴じピン４に対応する部位に一体に突設された端部係合爪７２と、前記蓋本体７１の前記中間綴じピン６に対応する部位に一体に突設された中間係合爪７３と、この蓋本体７１の一側縁側に一体に設けられたヒンジ形成部７４とを具備してなるもので、合成樹脂により一体に形成されている。蓋本体７１は前記装着状態（Ｓ）で前記ベース本体３１の略全域を覆い得るものであり、前記装着状態（Ｓ）で前記引っ掛け部材５との干渉を避けるための切欠部７５を備えている。具体的にはこの蓋本体７１は、前記引っ掛け部材５の正面視形状に相当する形状だけ合成樹脂を切り欠いた切欠部７５を有しており、この切欠部７５により前記装着状態（Ｓ）において前記蓋体７の外面７ａと前記引っ掛け部材５の外面５ａとが略面一となるように設定してある。端部係合爪７２は、他側縁側、具体的には図３中右側に突出する爪先７２ａを有したもので、装着状態（Ｓ）において前記端部綴じピン４の空洞に挿入されその端部綴じピン４の爪受４４を乗り越えた状態で前記爪先７２ａが前記爪受４４と係わり合うようになっている。中間係合爪７３は、一側縁側、具体的には図５中左側に突出する爪先７３ａを有したもので、装着状態（Ｓ）において前記中間綴じピン６の空洞に挿入されその中間綴じピン６の爪受６４を乗り越えた状態で前記爪先７３ａが前記爪受６４と係わり合うようになっている。ヒンジ形成部７４は、蓋体７の基端縁７６を構成する略円柱状のもので、前記軸受３５に対応する部位にそれぞれ途切れ部７７を有しており、それら各途切れ部７７内に、前記軸受３５に軸支される軸７８がそれぞれ設けられている。このようにしてなる蓋体７は、ヒンジを介して前記ベース３に回動可能に取り付けられている。
【００３０】
ヒンジは、前記ベース３に設けられた前記軸受３５及び前記蓋受３６と、前記蓋体７に設けられ、前記軸受３５に軸支される軸７８及び前記蓋受３６に支持される前記蓋体７の基端縁７６とを具備してなる。なおこの蓋体７は、前記軸受３５の一時的な弾性変形を利用して、前記ベース３に対して容易に分離させる前記綴じ具２の分解並びに接合させる綴じ具２の組み立てができるようになっている。
【００３１】
続いて、上述した前記綴じ具２を用いてクリヤーポケットＰを綴じる手順について説明する。まず下側の前記端部綴じピン４と前記端部綴じ孔Ｐ２とを係り合わせるべくクリヤーポケットＰを撓ませて前記端部綴じピン４の軸線が前記クリヤーポケットＰの表面に対して直交していない状態とし、下側の前記引っ掛け部材５の案内面５２から前記端部綴じ孔Ｐ２を通してゆく。そして下側の前記端部綴じ孔Ｐ２を下側の前記端部綴じピン４に係わり合わせた状態とする。続いて図１１に拡大して示すように、上側の前記端部綴じ孔Ｐ２に上側の前記端部綴じピン４を係わり合わせるために、前記スリット３４によりヒンジ形成部３２とは切り離された前記ベース本体３１を上方に撓ませる。これにより前記同様、前記端部綴じピン４の軸線Ｑが前記クリヤーポケットＰの表面に対して直交していない状態が実現できる。そして同図に示す状態から、前記クリヤーポケットＰを水平としつつ前記引っ掛け部材５を端部綴じ孔Ｐ２に挿通させる。このとき、前記引っ掛け部材５の案内面５２が前記端部綴じ孔Ｐ２をスムーズに基端側にある前記端部綴じピン４へ向けて案内できるようになっている。そして上側の端部綴じ孔Ｐ２と上側の端部綴じピン４とを係わり合わせ、前記ベース本体３１を撓ませた状態を開放すると、当該ベース本体３１自体の弾性により再びもとの形状へと復帰する。そしてこのときクリヤーポケットＰも前記ベース本体３１の前記弾性復帰に伴い姿勢変更を行うことになる。これにより、自ずと中間綴じ孔Ｐ３と中間綴じピン６とが係り合うようになる。そして、この図７乃至図９に示すような状態から前記蓋体７を回動させ装着状態（Ｓ）とする。具体的に説明すると、前記蓋体７側の前記端部係合爪７２及び前記中間係合爪７３をそれぞれ端部綴じピン４の前記爪受４４及び中間綴じピン６の前記爪受６４に係合させることで装着状態（Ｓ）とする。このとき、前記端部綴じピン４の前記スリット４３も前記中間綴じピン６の前記スリット６３もそれぞれ爪先７２ａ、７３ａの通過を許容すべく一時的に拡開される。その結果、図３乃至図５に示すように前記端部係合爪７２の前記爪先７２ａが前記端部綴じピン４の前記爪受４４に容易に係わり合い、且つ前記中間係合爪７３の前記爪先７３ａが前記中間綴じピン６の前記爪受６４に容易に係わり合うことで、前記装着状態（Ｓ）が実現される。
【００３２】
また前記クリヤーポケットＰ取り外す際には上記とは逆の手順となる。簡単に説明すると、まず前記綴じ具２の前記蓋体７を回動させて前記装着状態（Ｓ）を解除する。しかる後に何れかの端部綴じピン４が設けられたヒンジ本体３１の一部を弾性変形させることで端部綴じピン４の軸線ＱをクリヤーポケットＰとは直交しない状態とし、端部綴じ孔Ｐ２と端部綴じピン４との係り合いを解除し、端部綴じ孔Ｐ２を引っ掛け部材５の基端から先端へ移動させ、当該端部綴じ孔Ｐ２と端部綴じピン４から完全に離間させる。そして、適宜クリヤーポケットＰを撓ませてクリヤーポケットＰを綴じ具２から離間させる。
【００３３】
このような前記クリヤーポケットＰを綴じる作業を複数回繰り返すことで、図１２に示すように一の前記綴じ具２が複数の前記クリヤーポケットＰを好適に綴じた状態が実現される。
【００３４】
本実施形態では図１３乃至図１６に示すように、このような綴じ具２を表紙体Ｈに複数装着することにより、ファイル１を構成している。また綴じ具２がクリヤーポケットＰを綴じた状態で表紙体Ｈに装着されることにより、上述のクリヤーブックＣＢが実現される。以下、表紙体Ｈの構成について説明する。
【００３５】
表紙体Ｈは、表表紙Ｈ１と、裏表紙Ｈ２と、この裏表紙Ｈ２の基端縁に前記表表紙Ｈ１の基端縁を連続される背表紙Ｈ３とを一枚の樹脂シートにより形成したもので、前記背表紙Ｈ３には、複数本の樹脂ヒンジＨ４が平行に設けられている。この背表紙Ｈ３の内面には、前記綴じ具２を取り付けるための対をなすレールシートＨ５が取り付けられている。一方のレールシートＨ５は、基端縁を背表紙Ｈ３の中央付近に溶着により固定したもので、先端側を表表紙Ｈ１方向に延出させてある。この一方のレールシートＨ５には、前記樹脂ヒンジＨ４と平行な複数本のレールＨ６が設けられている。各レールＨ６は、一対の突条Ｈ７により形成されたもので、当該突条Ｈ７間に前記綴じ具２の取付突条３３が挿入されるレール溝Ｈ８が形成されている。このレール溝Ｈ８は、図１５及び図１６に示すように、前記取付突条３３の薄肉部３３ａの通過を許容する開口部Ｈ８ｂと、前記膨大部３３ｂが嵌合する溝本体Ｈ８ａとを有している。レール溝Ｈ８は、少なくとも一端側が開放されており、その開放端から前記と取付突条３３を長手方向にスライドさせながら挿入することができるようにしている。また他方のレールシートＨ５は、基端縁を背表紙Ｈ３の中央付近に溶着により固定したもので、先端側を裏表紙Ｈ２方向に延出させてあるもので、前記樹脂ヒンジＨ４と平行な複数本の前記レールＨ６が一方のレールシートＨ５と同様に設けられている。これら両レールシートＨ５は一体に構成したものであってもよい。また図示の態様の他、レールシートＨ５を設けずにレールＨ６を直接背表紙Ｈ３に植設させるなど、一体的に設けられたものであっても良い。この場合の一例としては、レールＨ６は複数の樹脂ヒンジＨ４間に背表紙に直接形成される態様を挙げることができる。
【００３６】
また、本実施形態に係るファイル１では、図１５及び図１６に示すように、綴じ具２に綴じられたクリヤーポケットＰの厚みの如何によって背表紙Ｈ３が適宜変形することにより、ファイル１が非対称に変形し違和感を与えたり、背表紙Ｈ３が無駄に嵩張ったりすることを有効に回避している。これにより、リフィルたるクリヤーブックＣＢの厚みに拘わらず平面視で略対称な状態で本棚等に収納しておくことができる。なお図１４では各綴じ具２を全て同じ向きとしてレールＨ６に取り付けた態様を示したが当該図１５及び図１６では２個ずつ対称すなわち互いに反対向けに取り付けた態様を示している。つまり表紙体Ｈに対するクリヤーポケットＰの向きさえ揃えておけば、レールＨ６に対して取付突条３３が取り付けられる向き、換言すれば表紙体Ｈに取り付けられる綴じ具２の向きは問わない。
【００３７】
図１５では、綴じ具２に綴じられた各クリヤーポケットＰが一定厚みの書類等の内容物を収容した状態を示している。この状態では、背表紙Ｈ３に複数設けられた樹脂ヒンジＨ４のうち、中央の樹脂ヒンジＨ４から一定寸法外側に隔てて設けられた対をなす樹脂ヒンジＨ４がクリヤーブックＣＢの厚みに応じて変形する。これにより、背表紙Ｈ３は平面視左右対称となり、表表紙Ｈ１及び裏表紙Ｈ２は互いに平行に配された状態となる。
【００３８】
図１６では、綴じ具２に綴じられた各クリヤーポケットＰの厚みが小さい状態を示している。この状態では、背表紙Ｈ３に設けられた中央の樹脂ヒンジＨ４が大きく屈曲し、他の樹脂ヒンジＨ４がなだらかに湾曲することで、背表紙Ｈ３が平面視左右対称となり、表表紙Ｈ１及び裏表紙Ｈ２は近接しつつも、図１５と同様に互いに平行に配された状態となる。このとき、背表紙Ｈ３に取り付けられたレールシートＨ５が適宜変形するとともにレールＨ６に取り付けられた取付とつじょうの薄肉部３３ａも適宜変形することで、レールシートＨ５に取り付けられた４つの綴じ具２が同方向に重なり合い、綴じ具２が表紙体Ｈ内で嵩張ってしまうことが有効に回避されている。
【００３９】
以上のような構成とすることにより、本実施形態に係る綴じ具２及び当該綴じ具２を表紙体Ｈに取り付けたファイル１は、リフィルたるクリヤーポケットＰを綴じる作業が綴じリングで綴じるものに比べて簡易であり、しかも前記クリヤーポケットＰの両端部と中間部をともに綴じることができるため、綴じ元側を確実に綴じ得るものとなっている。
【００４０】
構造の複雑化を招くことなしに前記クリヤーポケットＰの着脱を容易に行うようにするために本実施形態では、前記ベース３を、厚み方向に弾性変形可能な薄板状のベース本体３１を備えたものにし、前記端部綴じピン４をそのベース本体３１に設けている。
【００４１】
前記クリヤーポケットＰの脱落をより確実に防止又は抑制するために本実施形態では、前記両引っ掛け部材５を、相反する方向に延出する薄板状のものにしている。
【００４２】
前記蓋体７の紛失を防止するために本実施形態では、前記蓋体７を、ヒンジを介して前記ベース３に回動可能に支持させるのがよい。この場合、前記ベース３は、前記ベース本体３１の一側縁側に前記ヒンジを構成するためのヒンジ形成部３２を設けている。
【００４３】
また本実施形態では、取付突条３３を設けることにより、綴じ具２を容易に表紙体Ｈに取り付け得るものとなっている。
【００４４】
特に本実施形態では、ヒンジを設けてあっても、且つ表紙体Ｈに取り付けた状態でもクリヤーポケットＰの挿脱が容易に行えるよう、前記ベース３を、前記端部綴じピン４を保持する前記ベース本体３１の両端部をスリット３４を介して前記ヒンジ形成部３２から切り離し、切り離したベース本体３１の弾性変形を促したものとしている。
【００４５】
中間綴じピン６から前記クリヤーポケットＰの中間部分が浮き上がって離脱するのをより確実に防止するために本実施形態では、前記蓋体７を、装着状態（Ｓ）において前記中間綴じピン６及び前記端部綴じピン４に対して係わり合う中間係合爪７３及び端部係合爪７２を有した板状のものにしている。また蓋体７を板状とすることで、綴じ具２全体の厚みを有効に抑えたものととしている。
【００４６】
装着状態（Ｓ）において綴じ具２の厚みをさらに薄くするために本実施形態では、前記蓋体７を、前記引っ掛け部材５との干渉を避けるための切欠部７５を備えたものにしておき、前記装着状態（Ｓ）において前記蓋体７の外面７ａと前記引っ掛け部材５の外面５ａとが略面一となるように設定している。これにより引っ掛け部材５の厚みにより綴じ具２の厚みが増えることを有効に回避している。
【００４７】
このような綴じ具２を備えた本実施形態に係るファイル１は、綴じ具２側において前記ヒンジ形成部３２の一側縁側に設けた前記取付突条３３を挿脱可能に保持するレールＨ６を備えた表紙体Ｈを用いることにより、表紙体Ｈに対する綴じ具２の着脱を容易に行うことができる。
【００４８】
共通の表紙体Ｈに複数の綴じ具２を着脱可能に装着するために本実施形態に係るファイル１は、前記表紙体Ｈを、平行な複数本の前記レールＨ６を有するレールシートＨ５を背表紙Ｈ３の内面に備えたものとしている。特に本実施形態では、綴じ具２側の薄肉部３３ａとレールシートＨ５が適宜変形することにより、複数の綴じ具２が表紙体Ｈ内で嵩張ることを有効に回避している。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態ではレールシートが計４つの綴じ具を取り付け得る態様を開示したが、勿論、表紙体に取り付け得る綴じ具の数を限定するものではない。また、上記実施形態ではベース本体の略全域を蓋体が覆い得るものとしたが勿論、中間綴じピンのみを中間綴じ孔の抜脱を防止し得るように覆ったものであってもよく、また蓋体はベースに対して別体に構成しても良い。また綴じピンの具体的形状や引っ掛け部材延出する向きといった具体的な態様は上記実施形態のものに限定されることはなく、既存のものを含め、種々の態様のものを適用することができる。
【００５１】
その他、各部の具体的構成についても上記実施形態に限られるものではなく、本発明の趣旨を逸脱しない範囲で種々変形が可能である。
【産業上の利用可能性】
【００５２】
本発明はクリヤーポケット等のリフィルを綴じるための綴じ具及び当該綴じ具を有するファイルとして利用することができる。
【符号の説明】
【００５３】
１…ファイル
２…綴じ具
３…ベース
３１…ベース本体
３２…ヒンジ形成部
３３…取付突条
３４…スリット
４…端部綴じピン
５…引っ掛け部材
６…中間綴じピン
７…蓋体
７２…端部係合爪
７３…中間係合爪
７５…切欠部
Ｈ…表紙体
Ｈ６…レール
Ｈ５…レールシート
Ｓ…装着状態
Ｐ…リフィル（クリヤーポケット）
Ｐ１…綴じ孔
Ｐ２…端部綴じ孔
Ｐ３…中間綴じ孔
【図１】
2014024296.tif 000003
【図２】
2014024296.tif 000004
【図３】
2014024296.tif 000005
【図４】
2014024296.tif 000006
【図５】
2014024296.tif 000007
【図６】
2014024296.tif 000008
【図７】
2014024296.tif 000009
【図８】
2014024296.tif 000010
【図９】
2014024296.tif 000011
【図１０】
2014024296.tif 000012
【図１１】
2014024296.tif 000013
【図１２】
2014024296.tif 000014
【図１３】
2014024296.tif 000015
【図１４】
2014024296.tif 000016
【図１５】
2014024296.tif 000017
【図１６】
2014024296.tif 000018